(57)【要約】【課題】回転中心部に乾燥風を流すことにより、被乾燥物の乾燥効率の向上を図る洗濯乾燥機を提供することを目的とするものである。【解決手段】上方に開口して被洗濯物および水を収容する内槽の内底部に配設され、回転駆動手段によって回転駆動される攪拌翼７を有し、攪拌翼７は、回転中心から外周に向かって上方に隆起して形成された中心翼２７と、外周から回転中心に向かって上方に隆起して形成された外周翼２８と、複数の排水兼乾燥風の通気孔２９とを備えており、中心翼２７と外周翼２８との間に通気孔２９の一部を形成するもので、中心翼２７と外周翼２８との間の通気孔２９が被乾燥物によって塞がれるのを抑制し、回転中心部に乾燥風が流れる空間を確保することにより、回転中心部に乾燥風が流れる空間を確保し、乾燥効率を向上できる。【選択図】図１
2015195949.tif 000002
【特許請求の範囲】
【請求項１】
上方に開口して被洗濯乾燥物および水を収容する内槽の内底部に配設され、回転駆動手段によって回転駆動される洗濯乾燥機の攪拌翼を有し、前記攪拌翼は、回転中心から外周に向かって上方に隆起して形成された中心翼と、外周から回転中心に向かって隆起して形成された外周翼と、複数の排水兼乾燥風の通気孔とを備え、前記中心翼と前記外周翼との間に前記通気孔の一部を形成したことを特徴とする洗濯乾燥機。
【請求項２】
中心翼と外周翼は、回転方向に対して交互に形成されている請求項１に記載の洗濯乾燥機。
【請求項３】
中心翼と外周翼は、回転中心に対して等間隔に形成したことを特徴とする請求項１または請求項２に記載の洗濯乾燥機。
【請求項４】
中心翼と外周翼との最も短い間隔を５０ｍｍ以下とした請求項１〜３のいずれか１項に記載の洗濯乾燥機。
【請求項５】
中心翼は、羽根上面と、羽根上面の両側に形成される羽根側面とを有し、中心翼の中心側の羽根上面の幅を、中心翼の先端部の回転軌跡の長さの約１／２０以上に設定したことを特徴とする請求項１から４のいずれか１項に記載の洗濯乾燥機。
【請求項６】
外周翼は、羽根上面と、羽根上面の両側に形成される羽根側面とを有し、外周翼の外周側の羽根上面の幅を、攪拌翼の外周の長さの約１／２０以上に設定したことを特徴とする請求項１から５のいずれか１項に記載の洗濯乾燥機。
【請求項７】
中心翼の半径方向の延長長さは、攪拌翼の半径の約１／２に設定したことを特徴とする請求項１から６のいずれか１項に記載の洗濯乾燥機。
【請求項８】
外周翼の半径方向の延長長さは、攪拌翼の半径の約１／２に設定したことを特徴とする請求項１から７のいずれか１項に記載の洗濯乾燥機。
【発明の詳細な説明】
【技術分野】
【０００１】
本発明は、槽内に投入した被乾燥物に温風を噴出させて、被乾燥物の乾燥などを行う洗濯乾燥機に関するものである。
【背景技術】
【０００２】
従来、この種の洗濯乾燥機は、被乾燥物を投入した槽内に温風を噴出させるために、ヒータ、送風モータ、送風ファンなどの部品をユニットにし、機内上部に配置する構成が提案されてきた（例えば、特許文献１参照）。
【０００３】
図４は、特許文献１に記載された従来の洗濯乾燥機の概略構造を示す縦断面図である。
【０００４】
筐体１の上面に設けられた蓋１６と外槽３設けられた内蓋１２を開いて、内槽４内に被洗濯物と洗剤を投入して運転を開始すると、内槽４内に給水弁１５から給水がなされモータ１０により減速機構９を介して洗濯脱水軸８を回転させて攪拌翼７が回転駆動され、攪拌翼７の回転による攪拌により洗い行程が行なわれる。
【０００５】
所定時間の洗い行程の後、すすぎ工程が行われる。すすぎ工程において、洗濯後の汚れた水は、内槽４内の周囲に形成された小孔５や攪拌翼７の排水兼乾燥風通気孔を経て、排水弁１３及び排水ホース２２を介して排水され、給水弁１５から新たに給水された水と被洗濯物とを攪拌翼７によって攪拌するすすぎが行なわれる。
【０００６】
すすぎ行程が終了すると、モータ１０の回転はクラッチ２３により内槽４の駆動機構に切り換えられ、内槽４が回転駆動されることにより被洗濯物に含まれた水が遠心力によって内槽４の小孔５から外槽３内に排出される脱水行程が行なわれる。内槽４の振動は、内槽４上部に設けたバランサ６により軽減され、外槽３から筐体１への振動の伝達も外槽３を支持するサスペンション２により抑制される。
【０００７】
脱水行程が終了すると、内槽４と攪拌翼７とを随時回転させながら、乾燥手段３０であるヒータ３１とファン３２が作成する乾燥風を、吹出し口３３から内槽４の被洗濯物(これ以降、被乾燥物という)に吹付ける。
【０００８】
乾燥風は、被乾燥物を乾燥させて、蒸気を含んだものとなり、乾燥手段３０の吸引力によって、小孔５や排水兼乾燥風供給用の通気孔を介して、熱交換器３５に流入し、そこで第２給水弁３６からの冷却水３７によって除湿された後、再び乾燥手段３０に戻る循環経路を形成している。
【０００９】
この洗い、脱水、乾燥に至る一連の行程は、制御手段１１によって制御され、全自動で実行される。
【００１０】
攪拌翼７は、回転中心に、攪拌翼７回転用の軸受け構成が必要であり、排水兼乾燥風の通気孔は、攪拌翼７の外周部に形成している。
【先行技術文献】
【特許文献】
【００１１】
【特許文献１】特開２００６−３２６３４５号公報
【発明の概要】
【発明が解決しようとする課題】
【００１２】
従来技術の洗濯乾燥機の乾燥行程の概要を説明すると、攪拌翼７の動作によって被乾燥物の間に空間ができて、その空間に乾燥風が通り乾燥が促進される。
【００１３】
また、攪拌翼７は、水の入っていない状態で回転させるため、被乾燥物は接している攪拌翼７の回転移動作によってのみ動くが、回転の中心部は、攪拌翼７の移動量が小さく、被乾燥物の動きも小さいため、乾燥風の通路となる空間も生じ難い。
【００１４】
また、前記従来の洗濯乾燥機の攪拌翼７に形成した乾燥風の通気孔は、攪拌翼７の外周部にあり、回転中心部にある被乾燥物は、乾燥の促進が遅くなる傾向があり、最終的な乾燥ムラの原因になっていた。
【００１５】
本発明は、上記従来の課題を解決するもので、回転中心部に乾燥風を流すことにより、被乾燥物の乾燥効率の向上を図る洗濯乾燥機を提供することを目的とするものである。
【課題を解決するための手段】
【００１６】
前記従来の課題を解決するために、本発明の洗濯乾燥機は、上方に開口して被乾燥物および水を収容する内槽の内底部に配設され、回転駆動手段によって回転駆動される洗濯乾燥機の攪拌翼を有し、前記攪拌翼は、回転中心から外周に向かって上方に隆起して形成された中心翼と、外周から回転中心に向かって隆起して形成された外周翼と、複数の排水兼乾燥風の通気孔とを備え、前記中心翼と前記外周翼との間に前記通気孔の一部を形成するものである。
【００１７】
これによって、中心翼と外周翼との間に設けた排水兼乾燥風の通気孔が被乾燥物により塞がれるのが抑制され、乾燥風路を確保することができる。
【発明の効果】
【００１８】
本発明の洗濯乾燥機は、回転中心部に乾燥風を流すことができ、被乾燥物の乾燥効率を向上することができる。
【図面の簡単な説明】
【００１９】
【図１】攪拌翼の構成を示す平面図
【図２】同攪拌翼のＡ−Ａ線矢視断面図
【図３】同被乾燥物の乾燥状態を示す攪拌翼の斜視図
【図４】従来の洗濯乾燥機の構成を示す断面図
【発明を実施するための形態】
【００２０】
第１の発明は、上方に開口して被洗濯乾燥物および水を収容する内槽の内底部に配設され、回転駆動手段によって回転駆動される洗濯乾燥機の攪拌翼を有し、前記攪拌翼は、回転中心から外周に向かって上方に隆起して形成された中心翼と、外周から回転中心に向かって隆起して形成された外周翼と、複数の排水兼乾燥風の通気孔とを備え、前記中心翼と前記外周翼との間に前記通気孔の一部を形成するものである。
【００２１】
これにより、被乾燥物が中心翼と外周翼とにまたがって載った場合でも、中心翼と外周翼との間に設けた通気孔が塞がれることはなく、乾燥風路を確保することができる。よって、回転中心部に乾燥風を流すことができ、被乾燥物の乾燥ムラを抑制でき、乾燥効率を向上することができる。
【００２２】
第２の発明は、特に第１の発明において、中心翼と外周翼は、回転方向に対して交互に形成することにより、回転駆動時に被乾燥物の攪拌を均一的に発生させることができ、乾
燥ムラの低減効果をより向上することができる。
【００２３】
第３の発明は、第１または第２の発明において、中心翼と外周翼は、回転中心に対して等間隔に形成することにより、回転駆動時に被乾燥物の攪拌を均一的に発生させることができ、乾燥ムラの低減効果をより向上することができる。
【００２４】
第４の発明は、第１から第３のいずれかの発明において、中心翼と外周翼との最も短い間隔を５０ｍｍ以下とすることにより、中心翼と外周翼の間に位置する通気孔が被乾燥物により覆われるのを抑制でき、乾燥風の通気経路を確保することができる。
【００２５】
第５の発明は、第１から第４のいずれかの発明において、中心翼は、羽根上面と、羽根上面の両側に形成される羽根側面とを有し、中心翼の中心側の羽根上面の幅を、中心翼の先端部の回転軌跡の長さの約１／２０以上に設定することにより、攪拌翼によって被乾燥物が摩擦力を受ける面積を多くすることができるので、被乾燥物を動かしやすくなり、被乾燥物の攪拌を促進して、乾燥ムラの低減効果をより向上することができる。
【００２６】
第６の発明は、第１から第５のいずれかの発明において、外周翼は、羽根上面と、羽根上面の両側に形成される羽根側面とを有し、外周翼の外周側の羽根上面の幅を、攪拌翼の外周の長さの約１／２０以上に設定することにより、攪拌翼によって被乾燥物が摩擦力を受ける面積を多くすることができるので、被乾燥物を動かしやすくなり、被乾燥物の攪拌を促進して、乾燥ムラの低減効果をより向上することができる。
【００２７】
第７の発明は、第１から第６のいずれかの発明において、中心翼の半径方向の延長長さは、攪拌翼の半径の約１／２に設定することにより、被乾燥物を中心付近から外周付近までほぼ均一的に攪拌することができ、乾燥ムラの低減効果をより向上することができる。
【００２８】
第８の発明は、第１から第７のいずれかの発明において、外周翼の半径方向の延長長さは、攪拌翼の半径の約１／２に設定することにより、被乾燥物を中心付近から外周付近までほぼ均一的に攪拌することができ、乾燥ムラの低減効果をより向上することができる。
【００２９】
以下、本発明の実施の形態について、図面を参照しながら説明する。なお、この実施の形態によって本発明が限定されるものではない。
【００３０】
（実施の形態）
図１から３に基づいて、本発明の実施の形態における洗濯乾燥機の攪拌翼を説明する。なお、攪拌翼７以外の構成は従来と同じであり、同一部品については、同一符号を付して説明を省略する。
【００３１】
以下、図１、図２を参照して、攪拌翼７の構成について説明する。
【００３２】
攪拌翼７は、図１、２に示すように、水平、あるいは外周に向かうに従って上方に傾斜する傾斜曲面を形成する基盤２６と、基盤２６上に回転中心から外周に向かって形成する中心翼２７と、外周から回転中心に向かって形成する外周翼２８とにより構成している。基盤２６には、中心翼２７と外周翼２８が形成された部分以外の場所に、内槽４内の水を排出するとともに、乾燥工程時に温風を供給するための排水兼乾燥風供給用の通気孔２９を多数有している。
【００３３】
本実施の形態においては、中心翼２７と外周翼２８をそれぞれ３箇所ずつ等間隔に形成している。また、中心翼２７と外周翼２８は、攪拌翼７の回転中心に対して、６０度変位させた位置に形成している。
【００３４】
中心翼２７は、基盤２６上に回転中心から外周に向かって、攪拌翼７の半径の約１／２の位置まで連続して上方に隆起した羽根形状に形成している。外周翼２８は、基盤２６上に外周から回転中心に向かって、攪拌翼７の半径の約１／２の位置まで連続して上方に隆起した羽根形状に形成している。
【００３５】
中心翼２７は、図１〜３に示すように、攪拌翼７回転中心部のねじ締結部を内包し、攪拌翼７回転中心部から放射状に外周方向に延設され、回転中心部から外周になるに従って緩やかに下降傾斜するとともに、幅狭になる形状に形成されている。中心翼２７は、一方の側面である羽根側面２７ａと、上面である羽根上面２７ｂと、他方の側面である羽根側面２７ｃとを有している。
【００３６】
羽根上面２７ｂは、被乾燥物が載る面となり、回転中心部から外周になるに従って緩やかに下降傾斜するとともに、幅狭になる形状に形成している。また、羽根上面２７ｂは、円周方向に対して中央部分が最も高く、中央部分から円周方向両側に緩やかに傾斜する形状に形成されている。羽根側面２７ａ及び２７ｃは、羽根上面２７ｂから円周方向に急激に下降傾斜する形状に形成されている。
【００３７】
中心翼２７は、回転中心部側の基点部における羽根上面２７ｂの円周方向の幅を、中心翼２７の先端部の回転軌跡の長さの約１／２０以上に設定している。
【００３８】
外周翼２８は、図１〜３に示すように、攪拌翼７外周部から回転中心に向かって延設されている。外周翼２８は、外周部が最も高く、外周部から回転中心になるに従って緩やかに下降傾斜するとともに、幅狭になる形状に形成されている。外周翼２８は、一方の側面である羽根側面２８ａと、上面である羽根上面２８ｂと、他方の側面である羽根側面２８ｃとを有している。
【００３９】
羽根上面２８ｂは、被洗濯物が載る面となり、外周部から回転中心部側になるに従って緩やかに下降傾斜するとともに、幅狭になる形状に形成している。また、羽根上面２８ｂは、円周方向に対して中央部分が最も高く、中央部分から円周方向両側に緩やかに傾斜する形状に形成されている。羽根側面２８ａ及び２７ｃは、羽根上面２８ｂから円周方向に急激に下降傾斜する形状に形成されている。
【００４０】
外周翼２８は、基点となる外周部における羽根上面２８ｂの円周方向の幅を、攪拌翼７の外周長さの約１／２０以上に設定している。
【００４１】
また、外周翼２８先端部と、外周翼２８先端部と対向する中心翼２７との距離を５０ｍｍ以下に設定し、この隙間にも排水兼乾燥風供給用の通気孔２９を多数形成している。
【００４２】
以上のように構成された洗濯乾燥機の乾燥行程における攪拌翼について、以下、その動作、作用を説明する。
【００４３】
被乾燥物２５は、攪拌翼７付近において、攪拌翼７の凹凸形状にある程度沿って変形した形状となり、例えば、被乾燥物２５は、図３に示すように、中心翼２７の羽根上面２７ｂおよび外周翼２８の羽根上面２８ｂ上に載った状態になる。外周翼２８先端部と中心翼２７とが近接して対向しているので、被乾燥物２５は、外周翼２８先端部と中心翼２７との間にまたがった状態となり、外周翼２８先端部と中心翼２７との間に設けた通気孔２９を塞ぐことがない。
【００４４】
よって、乾燥風の通気経路を確保し難く比較的乾燥進行が遅かった攪拌翼７の回転中心
部に近い領域において、乾燥風の通気経路を確保することができる。
【００４５】
上記構成からなる攪拌翼７を回転駆動すると、例えば、図１及び図３において攪拌翼７が時計回りに回転する場合には、中心翼２７に関しては、羽根側面２７ａ付近の被乾燥物２５は、羽根側面２７ａの直接の接触によって回転方向の力の作用により攪拌される。また、羽根上面２７ｂ上付近の被乾燥物２５は、攪拌翼７の回転駆動による摩擦力により攪拌される。
【００４６】
また、外周翼２８に関しては、羽根側面２８ａ付近の被乾燥物２５は、羽根側面２８ａの直接の接触によって回転方向の力の作用により攪拌される。また、羽根上面２８ｂ上付近の被乾燥物２５は、攪拌翼７の回転駆動による摩擦力により攪拌される。
【００４７】
中心翼２７と外周翼２８の攪拌作用により、被乾燥物２５は、内槽の内周側に位置する被乾燥物２５と外周側に位置する被乾燥物２５が入れ替わり、また、上方側に位置する被乾燥物２５と下方側に位置する被乾燥物２５とが入れ替わる。これにより、被乾燥物２５は、乾燥ムラが抑制される。
【００４８】
また、中心翼２７と外周翼２８の径方向の長さを等分にしたことで、中心翼２７側の面積に対し、外周翼２８側が３倍の面積になり、中心翼２７上に乗った被乾燥物も、外周翼２８の上側に位置する被乾燥物に作用する攪拌力で適度に混ざりやすくなり、被乾燥物が停滞して、乾燥の推進にムラが生じるのを防ぐことができる。
【００４９】
中心翼２７は、攪拌翼７回転中心部のネジ締結部を内包して、中央部分が最も高くなるように形成しているので、回転中心部のネジ締結部の空間を十分確保でき、様々な軸径や軸受け構成への対応などが可能となり、機種展開が容易になる。
【００５０】
中心翼２７と外周翼２８との間に通気孔２９の一部を形成しているので、被乾燥物２５が中心翼２７と外周翼２８とにまたがって載った場合でも、中心翼２７と外周翼２８との間に設けた通気孔２９が塞がれることはなく、乾燥風路が確保できる。よって、回転中心部の周囲に乾燥風を流すことができ、被乾燥物の乾燥ムラを抑制でき、乾燥効率を向上することができる。
【００５１】
また、中心翼２７と外周翼２８は、回転方向に対して交互に形成しているので、回転駆動時に被乾燥物２５をほぼ均一に攪拌させることができ、乾燥ムラの低減効果をより向上することができる。
【００５２】
中心翼２７と外周翼２８は、回転中心に対して等間隔に形成しているので、回転駆動時に被乾燥物２５をほぼ均一に攪拌させることができ、乾燥ムラの低減効果をより向上することができる。
【００５３】
また、中心翼２７と外周翼２８との最も短い間隔を５０ｍｍ以下としているので、中心翼２７と外周翼２８の間に位置する通気孔２９が被乾燥物２５により覆われるのを抑制でき、乾燥風の通気経路を確保することができる。
【００５４】
中心翼２７は、羽根上面２７ｂと、羽根上面２７ｂの両側に形成される羽根側面２７ａ、２７ｃとを有し、中心翼２７の中心側の羽根上面２７ｂの幅を、中心翼２７の先端部の回転軌跡の長さの約１／２０以上に設定しているので、攪拌翼７によって被乾燥物２５が摩擦力を受ける面積を多くすることができ、被乾燥物を動かしやすくなり、被乾燥物の攪拌を促進して、乾燥ムラの低減効果をより向上することができる。
【００５５】
また、外周翼２８は、羽根上面２８ｂと、羽根上面２８ｂの両側に形成される羽根側面２８ａ、２８ｃとを有し、外周翼２８の外周側の羽根上面２８ｂの幅を、攪拌翼７の外周の長さの約１／２０以上に設定することにより、攪拌翼７によって被乾燥物が摩擦力を受ける面積を多くすることができるので、被乾燥物を動かしやすくなり、被乾燥物の攪拌を促進して、乾燥ムラの低減効果をより向上することができる。
【００５６】
中心翼２７の半径方向の延長長さは、攪拌翼７の半径の約１／２に設定しているので、被乾燥物を中心付近から外周付近までほぼ均一的に攪拌することができ、乾燥ムラの低減効果をより向上することができる。
【００５７】
また、外周翼２８の半径方向の延長長さは、攪拌翼７の半径の約１／２に設定しているので、被乾燥物を中心付近から外周付近までほぼ均一的に攪拌することができ、乾燥ムラの低減効果をより向上することができる。
【産業上の利用可能性】
【００５８】
本発明は、攪拌翼の回転中心部分に乾燥風が流れる構成とし、被乾燥物の乾燥効率を促進できるので、攪拌翼を用いる乾燥機に広く利用することができる。
【符号の説明】
【００５９】
１  筐体
２  サスペンション
３  外槽
４  内槽
５  小孔（内槽４の周面）
６  バランサ
７  攪拌翼
８  洗濯脱水軸
９  減速機構
１０  モータ
１１  制御手段
１５  給水弁
１６  蓋
２２  排水ホース
２３  クラッチ
２５  被乾燥物
２６  基盤
２７  中心翼
２８  外周翼
２９  通気孔
【図１】
2015195949.tif 000003
【図２】
2015195949.tif 000004
【図３】
2015195949.tif 000005
【図４】
2015195949.tif 000006